(57)【特許請求の範囲】
【請求項１】
水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中から分岐した後再接続されるバイパス配管の途中に水素貯蔵装置を設置して、一日の間において、燃料改質器を一回だけ起動開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に、水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された水素で賄うように制御する制御装置からなることを特徴とする燃料電池発電システム。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
【請求項２】
水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中から分岐した後燃料電池スタックに直接接続される分岐配管の途中に水素貯蔵装置を設置して、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に、水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された貯蔵された水素で賄うように制御する制御装置からなることを特徴とする燃料電池発電システム。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
【請求項３】
水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中に水素貯蔵装置を設けて、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に、水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された貯蔵された水素で賄うように制御する制御装置からなることを特徴とする燃料電池発電システム。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
【請求項４】
水素貯蔵装置の水素圧力を計測し、数式（３）を具備する場合、燃料改質器の運転を停止し、数式（４）を具備する場合、燃料改質器の運転中かどうかを判断し、運転中でないで場合には、燃料改質器の起動を開始することを特徴とする請求項１〜３記載の燃料電池発電システム。
ここに、
ＰＨ＞ＰＣ１  ・・・・・・数式（３）
ＰＨ＜ＰＣ２  ・・・・・・数式（４）
ＰＨ：水素貯蔵装置の水素圧力
ＰＣ１：水素貯蔵装置の水素圧力の上限値
ＰＣ２：水素貯蔵装置の水素圧力の下限値
【請求項５】
燃料電池スタックからの排熱を回収する排熱回収装置を備えたことを特徴とする請求項１〜４記載の燃料電池発電システム。
【請求項６】
水素貯蔵装置が圧力ボンベであることを特徴とする請求項１〜５記載の燃料電池発電システム。
【請求項７】
水素貯蔵装置が圧力ボンベであるとき、夜間電力を使って水素を圧力ボンベに蓄えることを特徴とする請求項１〜６記載の燃料電池発電システム。
【請求項８】
電力キャパシターを備えたことを特徴とする請求項１〜７記載の燃料電池発電システム。
【請求項９】
金曜日の営業終了後一定時間燃料改質器の運転を行い、土曜日と日曜日の間に必要水素量を水素貯蔵装置に貯蔵した後、燃料改質器を停止し、燃料改質器を停止した後は、水素貯蔵装置からの水素量を燃料電池スタックに供給して電力負荷Ｗの消費電力を賄い、週明けの月曜日の営業開始前一定期間から燃料改質器の運転を行なうことを特徴とする請求項１〜８記載の燃料電池発電システム。
【請求項１０】
水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中から分岐した後再接続されるバイパス配管の途中に水素貯蔵装置を設置して、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された水素で賄うことを特徴とする燃料電池発電方法。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
【請求項１１】
水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中から分岐した後燃料電池スタックに直接接続される分岐配管の途中に水素貯蔵装置を設置して、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された水素で賄うことを特徴とする燃料電池発電方法。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
【請求項１２】
水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中に水素貯蔵装置を設けて、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された水素で賄うことを特徴とする燃料電池発電方法。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
【請求項１３】
さらに、水素貯蔵装置の水素圧力を計測し、数式（３）を具備する場合、燃料改質器の運転を停止し、数式（４）を具備する場合、燃料改質器の運転中かどうかを判断し、運転中でないで場合には、燃料改質器を起動を開始することを特徴とする請求項１０〜１２記載の燃料電池発電方法。
ここに、
ＰＨ＞ＰＣ１  ・・・・・・数式（３）
ＰＨ＜ＰＣ２  ・・・・・・数式（４）
ＰＨ：水素貯蔵装置の水素圧力
ＰＣ１：水素貯蔵装置の水素圧力の上限値
ＰＣ２：水素貯蔵装置の水素圧力の下限値
【請求項１４】
燃料電池スタックからの排熱を回収する排熱回収装置を備えたことを特徴とする請求項１０〜１３記載の燃料電池発電方法。
【請求項１５】
水素貯蔵装置が圧力ボンベであることを特徴とする請求項１０〜１４記載の燃料電池発電方法。
【請求項１６】
水素貯蔵装置が圧力ボンベであるとき、夜間電力を使って水素を圧力ボンベに蓄えることを特徴とする請求項１０〜１５記載の燃料電池発電方法。
【請求項１７】
電力キャパシターを備えたことを特徴とする請求項１０〜１６記載の燃料電池発電方法。
【請求項１８】
金曜日の営業終了後一定時間燃料改質器の運転を行い、土曜日と日曜日の間に必要水素量を水素貯蔵装置に貯蔵した後、燃料改質器を停止し、燃料改質器を停止した後は、水素貯蔵装置からの水素量を燃料電池スタックに供給して電力負荷Ｗの消費電力を賄い、週明けの月曜日の営業開始前一定期間から燃料改質器の運転を行なうことを特徴とする請求項１０〜１７記載の燃料電池発電方法。
【発明の詳細な説明】
【技術分野】
【０００１】
本発明は、燃料電池システム（排熱回収装置を備える場合、コージェネレーションシステムともいう。）において、水素貯蔵装置を設置した燃料電池発電システムおよび燃料電池発電方法に関する。
【背景技術】
【０００２】
燃料電池発電システムは、発電効率が高い発電システムとして注目されてきた。燃料電池発電システムから排出される排ガスの保有する熱エネルギーが排熱として回収される場合、燃料電池システムはさらにエネルギーの利用効率が高いコージェネレーションシステムとなる。また、燃料電池発電システムは、運転時に騒音が少ない発電システムでもあるという特徴をも有している。
従来の燃料電池発電システムでは、燃料電池スタックの発電出力に対応して燃料改質器において水素を発生させる為、燃料電池スタックの最大発電出力に対応した大容量の燃料改質器を備える必要があった。そして消費電力が少ないときは、大容量の燃料改質器は、少ない負荷で運転される。燃料電池スタックは低負荷運転においても効率を落とさずに運転が可能であるが、燃料改質器は定常で運転されるとき非常に効率が良く、低負荷運転では効率が低下し、システム全体については、一般には低負荷運転において効率が低下する。
【０００３】
逆に、燃料改質器は高負荷運転でも効率が低下し、システム全体については、一般には高負荷運転でも効率が低下する。
【０００４】
【特許文献１】実開昭６３−２９８５３号公報
【特許文献２】特開平９−２６６００６号公報
【特許文献３】特開２０００−２９４２６４号公報
【発明の開示】
【発明が解決しようとする課題】
【０００５】
このような燃料電池システムの場合、燃料改質器の水素製造能力は、燃料電池スタックの最大水素消費量に合わせる必要がある。燃料電池スタックの水素消費量は電力需要量の増減により変動する。電力需要量は、例えば、春夏秋冬の季節によって変動（季節変動）し、また一日のうち昼と夜によって変動（昼夜変動）する。それゆえに、燃料電池スタックの発電容量を電力負荷の最大電力需要量に合わせた場合、大容量の燃料改質器が必要になり、システム全体の大型化、設備投資の増加、燃料改質器の起動時に必要なウォーミングアップ運転時の燃料の増加という問題が発生する。また、燃料改質器は、大部分の時間において、効率が悪い低負荷で運転しなければならないという問題もある。
【０００６】
本発明の課題は、燃料改質器容量を低減して、システムの小型化、設備投資の低減、燃料改質器のウォーミングアップ運転時の燃料低減を図ると共に、燃料改質器を効率の良い水素発生量の範囲で運転することにより、安価でコンパクトで高効率な水素貯蔵装置を備えた燃料電池発電システム及び燃料電池発電方法を提供することである。
【課題を解決するための手段】
【０００７】
ここでは、本願明細書、特に各請求項記載発明に用いられる用語の解釈上の疑義を解消すべく、以下用語について説明する。
［用語の説明］
○燃料電池発電システムとは、電力負荷に電力を供給する燃料電池スタック、水素を発生させる燃料改質装置、水素を蓄える水素貯蔵装置、及び制御装置からなる。さらに、燃料電池スタックで発生する排熱を回収する排熱回収装置が用件に加重される場合がある。
○制御装置とは、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に、水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された水素で賄うように制御する装置である。
制御方法は、具体的には、以下の手順によって制御する。なお、下記制御方法は、例示であって、必ずしもこれに限定されるものではない。
＜準備段階＞
（１）時刻ｔの関数である想定電力需要量曲線Ｗ０（ｔ）が予め用意して、メモリーＭに記憶しておく。想定電力需要量曲線Ｗ０（ｔ）は、一般には、前日までに予め用意して、メモリーＭに記憶しておく。
実際上は、例えば、ｔ１＝０、ｔ２＝Δｔ…ｔｎ＝（ｎ−１）Δｔとし、対応するＷ０（ｔ１）、Ｗ０（ｔ２）ｔ…Ｗ０（ｔｎ）を予めメモリーＭに記憶させておく。任意の時刻ｔの関数Ｗ０（ｔ）を求める場合は、内挿法により算出する。
（２）次に、想定電力需要量Ｗ０（ｔ）を発電するのに必要な想定水素量の曲線Ｈ０（ｔ）を、Ｗ＝Ｗ０（ｔ）を数式（１）に代入して算出して、メモリーＭに記憶しておく。
【０００８】
すなわち、以下の式が成立する。
【０００９】
Ｈ０（ｔ）＝Ｈ（Ｗ０（ｔ））＝（Ｗ０（ｔ）／η（Ｗ０（ｔ）））／Ｃ  ・・・・・数式（１’）
上記において、厳密には、Ｗ＝Ｗ０（ｔ）は、離散値の集合のデータとして与えられ、Ｗ０（ｔ）に対応するＨ０（ｔ）も離散値の集合のデータとして算出される。両データは、予めメモリーＭに記憶される。
制御装置は、Ｈ０（ｔ）の離散値の集合のデータに基づいて内挿法等の演算処理により、任意の時刻ｔが与えられた場合に、Ｈ０（ｔ）を算出する。
（３）燃料改質器の起動開始時ｔｓ、燃料改質器の完全停止時ｔｅ＝ｔｓ＋ｔｏを決定して、両者をメモリーＭに記憶しておく。
【００１０】
ここに、燃料改質器の起動開始時ｔｓ、燃料改質器の完全停止時ｔｅは、電力需要量Ｗ０（ｔ）に対応するＨ０（ｔ）を時間ｔによって積分して一日当りに必要なトータル水素量Ｈ０ｔを算出することができる。
【００１１】
ただし、燃料改質器の起動開始時ｔｓから、定常運転に至るまでの時間を０と近似し、燃料改質器の停止開始時から燃料改質器の完全停止時ｔｅまでの時間も０と近似する。
かかる場合、次式からＨ００を算出することができる。
【００１２】
Ｈ００×（ｔｅ−ｔｓ）＝  Ｈ００×ｔ０＝Ｈ００ｔ＝Ｃｓ×Ｈ０ｔ…数式（３）
（４）数式（２）を満足するように水素量Ｈ００を算出して、メモリーＭに記憶しておく。
＜実運転段階＞  
（５）燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に、水素貯蔵装置に水素を貯蔵する。
（６）燃料改質器の完全停止時ｔｅ＝ｔｓ＋ｔｏになれば、燃料改質器の運転を完全に停止する。
（７）燃料改質器の完全停止時ｔｅから次の燃料改質器の起動開始時ｔｓの間は、電力需要量を水素貯蔵装置に貯蔵された水素で賄う。
（８）以下、（５）〜（７）の手順を繰り返す。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
○メモリーＭとは、制御装置に設置された記憶装置である。
○燃料電池スタックとは、燃料改質器において発生した水素と空気中の酸素を電気化学的に反応させて発電を行う、燃料電池発電システムの心臓部である。
○燃料改質器とは、都市ガス、ナフサ、またはメタノール等の燃料を原料として、水素を主成分とするガス（以下、単に水素ともいう。）を製造する装置をいう。一般には、燃料と水蒸気を改質して、水素を主成分とするガス（改質ガス）を製造する装置をいい、この場合の改質方法を水蒸気改質法という。
○バイパス配管とは、燃料改質器において発生した水素を燃料電池スタックへ供給する水素配管の途中から分岐した後再接続される配管であって、バイパス配管の途中に水素貯蔵装置を設ける。
○分岐配管とは、燃料改質器において発生した水素を燃料電池スタックへ供給する水素配管の途中から分岐した後燃料電池スタックに直接接続される配管であり、分岐配管の途中に水素貯蔵装置を設ける。
○水素貯蔵装置とは、水素を蓄えておくことができる装置をいい、例えば、圧力ボンベ、水素吸蔵合金等を組み込んだ装置が例示される。
【００１３】
例えば、圧力ボンベの場合、上限圧力、下限圧力が予め設定されており、貯蔵装置圧力が上限圧力を超えた場合には、改質器は停止されるように燃料電池発電システムはコントロールされる。また逆に、貯蔵装置圧力が下限圧力を下回った場合で、かつ改質器が運転中でない場合には、改質器を起動させるように燃料電池発電システムはコントロールされる。
○燃料とは、燃料改質装置に供給される燃料で、都市ガス、ナフサ、またはメタノール等が例示される。
○電力負荷とは、電力を消費する電気器具等をいう。電力負荷は、通常は交流であるが、直流の場合も考えられる。電力負荷に用いられる照明機器、ＡＶ機器、厨房機器、空調機器などに市販の交流機器を用いる場合、燃料電池発電システムで発電された直流電力は、インバータによって交流電力に変換され、電力負荷に供給される。なお、電力負荷が直流の場合は、直流電力のまま電力負荷に供給される。
○電力需要量とは、顧客が電力負荷により消費する電力量をいう。ここに、電力需要量とは、一般に単位時間当りに消費するエネルギー量をいうが、ある時間帯に消費するエネルギー量をいう場合もある。
○排熱回収装置とは、発電時に燃料電池スタックや燃料改質器から排出される熱を回収し、空調や給湯のエネルギーとして有効利用する装置をいう。排熱回収装置が、吸収式冷凍機と温水ボイラとを含み、吸収式冷凍機で得られた冷水と、温水ボイラで得られた温水とを用いて空調を行うことも可能である。かかる場合、冷房を必要とする期間は吸収冷凍機で排熱回収が行われ、ここで得られた冷水は冷房に用いられる。また暖房を必要とする期間は排熱回収が温水ボイラで行われ、ここで得られた温水は暖房に用いられる。これによって空調機器などに使う電力負荷は、冷温水の送水ポンプ、換気ファンなど僅かなものになる。なお吸収式冷凍機や温水ボイラの排ガスはさらに給湯機などで熱回収することができる。
［記号の説明］
○Ｗ０（ｔ）：時刻ｔの関数である想定電力需要量曲線から求まる時刻ｔにおける想定電力需要量
なお、Ｗ０（ｔ）は、時刻ｔの関数である想定電力需要量曲線で点の集合体である場合もある。
○Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
【００１４】
なお、Ｗ０（ｔ）は、時刻ｔの関数である想定電力需要量曲線で点の集合体である場合もある。  
○η（Ｗ）：電力負荷Ｗを燃料電池スタックで発電する際の発電効率で、電力負荷Ｗの関数として予め算出された発電効率
○Ｈ０ｔ：一日の間のトータル想定水素量、想定水素量曲線Ｈ０（ｔ）を、時間ｔで一日当り積分して算出する。
○Ｈ００ｔ：：燃料改質器の起動時ｔｓから停止時ｔｅ＝ｔｓ＋ｔｏの間に発生するトータル水素量、
○Ｃｓ：１以上の安全係数で設計上の数値であり予め設定する。
−−−−−−−−−−−−−−−−−−−−−−−−−−−−−−−−−−−
本発明は、特許請求の範囲に記載された発明であり、具体的には以下の発明である。
【００１５】
熱電併給システムには、エネルギー貯蔵タイプによって分類して、（１）電力エネルギーを貯蔵する電池等を備えた熱電併給システム（以下、電池タイプという。）と（２）水素を貯蔵する水素貯蔵装置を備えた熱電併給システム（以下、水素貯蔵タイプという）がある。
【００１６】
ともに、当業者の間では、電力需要量の日変動のピークカットに繋がり、熱電併給システム全体のコンパクト化が図れるものと考えられていた。
【００１７】
しかしながら、発明者は、前者では燃料改質器、燃料電池スタックともコンパクト化が測れるが、後者では、燃料改質器のコンパクト化は図れるものの、燃料電池スタックのコンパクト化は図れない点に着目して、燃料電池スタックのコンパクト化が図れないというデメリットをコンパクト化とは異なる別のメリットを発揮させることはできないかという着想を得て、本発明を完成することができた。
【００１８】
すなわち、上記電池タイプと水素貯蔵タイプの共通点と相違点の事実把握により、水素貯蔵タイプでは燃料電池スタックのコンパクト化が図れないというデメリットを他の別のメリットで補うという着想を得ない限り、本発明の誕生は有り得なかったということができる。
［請求項１］  水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中から分岐した後再接続されるバイパス配管の途中に水素貯蔵装置を設置して、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に、水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された水素で賄うように制御する制御装置からなることを特徴とする燃料電池発電システム。
ことを特徴とする燃料電池発電システム。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
−−−−−−−−−−−−−−−−−−−−−−−−−−−−−−−−−−−
本発明は、図１の一の実施形態の燃料電池発電システムに該当する発明である。
【００１９】
本発明の構成上の特徴は、前記水素配管の途中から分岐した後再接続されるバイパス配管の途中に水素貯蔵装置を設置したことである。
【００２０】
交流電力の合流は、同期投入装置が必要となる等、制御方法が複雑でかつ高価になるのに対して、水素ガスの合流は、バルブの操作だけで行うことができるので装置の取り扱いが非常に簡単である。
【００２１】
さらに、本発明の制御上の特徴は、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に、水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された水素で賄うように制御する制御装置からなることである。
【００２２】
上記のようにシステムを制御することにより、燃料改質器の運転を効率の良い水素発生量の範囲に限定して行うことが可能になる。また、水素をいつでも取り出せる状態で貯蔵しておくことにより、燃料改質器の水素製造能力以上の水素を燃料電池スタックに供給することが可能になり、燃料改質器を小容量化できる。
【００２３】
これにより、システム全体のエネルギー効率の向上を図ると共に、燃料改質器容量を低減して、安価でコンパクトで高効率な水素貯蔵装置を備えた燃料電池発電システム及び燃料電池発電方法を提供するという発明の課題が達成できる。
［請求項２］  水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中から分岐した後燃料電池スタックに直接接続される分岐配管の途中に水素貯蔵装置を設置して、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に、水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された貯蔵された水素で賄うように制御する制御装置からなることを特徴とする燃料電池発電システム。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
−−−−−−−−−−−−−−−−−−−−−−−−−−−−−−−−−−−
本発明は、図２の二の実施形態の燃料電池発電システムに該当する発明である。
本発明の特徴は、前記水素配管の途中から分岐した後燃料電池スタックに直接接続される分岐配管の途中に水素貯蔵装置を設置したことである。
その他については、請求項１に係る発明において記載された内容と同じである。
［請求項３］  水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中に水素貯蔵装置を設けて、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に、水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された貯蔵された水素で賄うように制御する制御装置からなることを特徴とする燃料電池発電システム。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
−−−−−−−−−−−−−−−−−−−−−−−−−−−−−−−−−−−
本発明は、図３の三の実施形態の燃料電池発電システムに該当する発明である。
本発明の特徴は、前記水素配管の途中に水素貯蔵装置を設置したことである。
本発明の構成のように、水素配管の途中に水素貯蔵装置をしたことにより、コンプレッサーとバルブの構成要素が少なくなり、コスト低減が図れると共に、本燃料電池発電システム運転方法が、請求項１に記載された発明よりも簡単になり、故障もしにくくなるという特徴を有する。
その他については、請求項１に係る発明において記載された内容と同じである。
−−−−−−−−−−−−−−−−−−−−−−−−−−−−−−−−−−−
［請求項４］  水素貯蔵装置の水素圧力を計測し、数式（３）を具備する場合、燃料改質器の運転を停止し、数式（４）を具備する場合、燃料改質器の運転中かどうかを判断し、運転中でないで場合には、燃料改質器の起動を開始することを特徴とする請求項１〜３記載の燃料電池発電システム。
ここに、
ＰＨ＞ＰＣ１  ・・・・・・数式（３）
ＰＨ＜ＰＣ２  ・・・・・・数式（４）
ＰＨ：水素貯蔵装置の水素圧力
ＰＣ１：水素貯蔵装置の水素圧力の上限値
ＰＣ２：水素貯蔵装置の水素圧力の下限値
−−−−−−−−−−−−−−−−−−−−−−−−−−−−−−−−−−−
請求項４記載発明（本発明）は、水素貯蔵装置の水素圧力を計測して、水素貯蔵装置の水素圧力ＰＨが数式（３）又は数式（４）の何れかを充足する場合は、請求項１〜３に記載された運転モード（本願では、定常モードと定義する）以外の非定常モードで燃料改質器の運転停止、燃料改質器の起動の開始をすることを特徴とする発明である。
定常モードの運転と非定常モードの運転について、両者の差を明確化すべく以下図７又は図８に基づいて説明する。
図７は、本発明の一の実施形態の燃料電池システムの運転フロー図である。図８は、本発明の一の実施形態の燃料電池システムの運転フロー図（詳細）である。
＜ステップ１＞
ステップ１では、時刻ｔの関数である定電力需要量曲線Ｗ０（ｔ）を予想して、その値を時間毎にメモリーＭに予め記憶させておく。
実際上は、例えば、ｔ１＝０、ｔ２＝Δｔ…ｔｎ＝（ｎ−１）Δｔとし、対応するＷ０（ｔ１）、Ｗ０（ｔ２）ｔ…Ｗ０（ｔｎ）を予めメモリーＭに記憶させておく。任意の時刻ｔの関数Ｗ０（ｔ）を求める場合は、内挿法により算出する。
＜ステップ２＞
ステップ２では、燃料改質器の起動時ｔｓから停止時ｔｅ＝ｔｓ＋ｔｏの間に発生するトータル水素量Ｈ００ｔを算出する。
トータル水素量Ｈ００ｔの算出は、数式（１）、数式（１’）’、数式（２）によって算出する。
＜ステップ３＞
ステップ３では、水素量Ｈ００ｔを燃料改質器の水素発生量の定格値で割れば、起動時ｔｓから停止時ｔｅまでの時間ｔｏが求まる。
起動時ｔｓか停止時ｔｅの何れかが決まれば、起動時ｔｓ、停止時ｔｅが自動的に決定され、燃料電池発電システムの定常運転モードは決定される。さらに、運転をシミュレーションして問題がないことを確認しておくことが望ましい。
＜ステップＳ＞
ステップＳでは、時刻ｔが時刻ｔｓになれば、燃料改質器の起動をスタートする。
＜ステップ４＞
ステップ４では、水素貯蔵装置の水素圧力ＰＨを計測する。
＜ステップ５＞
ステップ５では、数式（３）を具備しているか否かを判断する。
ＰＨ＞ＰＣ１  ・・・・・・数式（３）
数式（３）を具備している場合には、定常モード運転から脱して、＜ステップ９＞に移って、燃料改質器を停止する。
＜ステップ６＞
ステップ６では、数式（４）を具備しているか否かを判断する。
ＰＨ＜ＰＣ２  ・・・・・・数式（４）
数式（４）を具備している場合には、定常モード運転から脱して、＜ステップ７＞に移る。
＜ステップ７＞
ステップ７では、燃料改質器の運転中か否かを判断し、運転中でない場合は、＜ステップ８＞に移って、燃料改質器を起動する。
＜ステップ８＞
ステップ８では、燃料改質器を起動する。                  
＜ステップＥ＞
ステップＥでは、時刻ｔがｔｅになると、燃料改質器の運転を停止する。
【００２４】
なお、定常運転モードでは、ステップ１〜ステップ３を経て、ステップＳで燃料改質器の起動をスタートする。
【００２５】
ステップ４で水素貯蔵装置の水素圧力ＰＨを計測し続けるが、ステップ５〜６で数式（３）数式（４）を具備することはなく、時刻ｔがｔｅになると燃料改質器の運転を停止することになる。
【００２６】
すなわち、定常運転モードでは、ステップ１からステップＳを経て、ステップＥまで真下に移行するだけの単純なフローである。
−−−−−−−−−−−−−−−−−−−−−−−−−−−−−−−−−−−
［請求項５］  燃料電池スタックからの排熱を回収する排熱回収装置を備えたことを特徴とする請求項１〜３記載の燃料電池発電システム。
【００２７】
本発明により、さらに燃料電池発電システムのエネルギー効率が向上する。
［請求項６］  水素貯蔵装置が圧力ボンベであることを特徴とする請求項１〜４記載の燃料電池発電システム。
【００２８】
本発明により、水素を圧力ボンベに圧力貯蔵することを明確化したものである。
［請求項７］  水素貯蔵装置が圧力ボンベであるとき、夜間電力を使って水素を圧力ボンベに蓄えることを特徴とする請求項１〜５記載の燃料電池発電システム。
【００２９】
本発明により、さらに燃料電池発電システムの夜間電力を使用することにより、電力会社の夜間余剰電力を貯蔵すると共に、昼間の電力ピーク時に放出することにより、商用電力の平準化が可能となる。
［請求項８］  電力キャパシターを備えたことを特徴とする請求項１〜７記載の燃料電池発電システム。
【００３０】
本発明により、突入電力等の瞬間的電力需要量に対して対応することが可能となる。
［請求項９］  金曜日の営業終了後一定時間燃料改質器の運転を行い、土曜日と日曜日の間に必要水素量を水素貯蔵装置に貯蔵した後、燃料改質器を停止し、燃料改質器を停止した後は、水素貯蔵装置からの水素量を燃料電池スタックに供給して電力負荷Ｗの消費電力を賄い、週明けの月曜日の営業開始前一定期間から燃料改質器の運転を行なうことを特徴とする請求項１〜８記載の燃料電池発電システム。
【００３１】
電力負荷の電源スイッチを入れた場合、突入電力がアップする。電力キャパシターは、急激な電力負荷の変動に対処するために設けられている。
【００３２】
本発明では、
［請求項１０］水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中から分岐した後再接続されるバイパス配管の途中に水素貯蔵装置を設置して、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された水素で賄うことを特徴とする燃料電池発電方法。
ここに、
Ｈ＝Ｈ（Ｗ）＝（Ｗ／η（Ｗ））／Ｃ  ・・・・・・数式（１）
Ｈ００ｔ＝Ｃｓ×Ｈ０ｔ          ・・・・・・・・数式（２）
Ｗ０（ｔ）：時刻ｔの関数である想定電力需要量曲線から求まる時刻ｔにおける想定電力需要量
Ｈ０（ｔ）：想定電力需要量Ｗ０（ｔ）を発電するのに必要な想定水素量曲線から求まる時刻ｔにおける想定水素量で、Ｗ＝Ｗ０（ｔ）を数式（１）に代入して算出する。
η（Ｗ）：電力負荷Ｗを燃料電池スタックで発電する際の発電効率で、電力負荷Ｗの関数として予め算出された発電効率
Ｃ：単位体積当りの水素の発熱量
Ｈ０ｔ：Ｈ０（ｔ）を時刻ｔで積分することによって求まる一日の間のトータル想定水素量
Ｈ００ｔ：燃料改質器の起動時ｔｓから停止時ｔｅ＝ｔｓ＋ｔｏの間に発生するトータル水素量、
Ｃｓ：１以上の安全係数
−−−−−−−−−−−−−−−−−−−−−−−−−−−−−−−−−−−
本発明は、請求項１、２、又は３記載発明（燃料電池発電システム）に対応した燃料電池発電方法の発明である。ここで説明しない事項については、請求項１、２、又は３記載発明の説明内容と同じである。
【００３３】
本発明では、バイパス配管、分岐配管等の構成を限定としていない。本発明は、水素貯蔵装置を設置して、一日の間において、燃料改質器を一回だけ起動を開始し一定期間ｔｏ定常運転した後完全停止する燃料電池発電システムにおいて、燃料改質器の起動開始時ｔｓになれば、燃料改質器の起動を開始し、燃料改質器の定常運転により、数式（２）を満足するように水素量Ｈ００を発生させて、燃料電池スタックにより電力需要量を賄うと共に水素貯蔵装置に水素を貯蔵した後、燃料改質器の完全停止時ｔｅ＝ｔｓ＋ｔｏにおいて、燃料改質器の運転を完全に停止し、燃料改質器の完全停止時ｔｅから次の燃料改質器の起動開始時ｔｓの間は、電力需要量を水素貯蔵装置に貯蔵された水素で賄うことを特徴とするものである。
【００３４】
かかる特徴的構成により、燃料改質器の運転を効率の良い水素発生量の範囲に限定して行うことが可能になる。また、水素をいつでも取り出せる状態で貯蔵しておくことにより、燃料改質器の水素製造能力以上の水素を燃料電池スタックに供給することが可能になり、燃料改質器を小容量化できる。
【００３５】
これにより、システム全体のエネルギー効率の向上を図ると共に、燃料改質器容量を低減して、安価でコンパクトな水素貯蔵装置を備えた燃料電池発電システム及び燃料電池発電方法を提供するという発明の課題が達成できる。
【００３６】
本発明は、請求項１、２、又は３記載発明（燃料電池発電システム）の上位概念に対応した燃料電池発電方法の発明である。ここで説明しない事項については、請求項１、２、又は３記載発明の説明内容と同じである。
［請求項１０］水素貯蔵装置が、水素配管の途中から分岐した後再接続されるバイパス配管の途中に水素貯蔵装置であることを特徴とする請求項９記載の燃料電池発電システム。
【００３７】
本発明は、請求項１記載発明（燃料電池発電システム）に対応した燃料電池発電方法の発明である。ここで説明しない事項については、請求項１記載発明の説明内容と同じである。
【００３８】
［請求項１１］  水素貯蔵装置が、燃料電池スタックに直接接続される分岐配管の途中に設置された水素貯蔵装置であることを特徴とする燃料電池発電方法。
本発明は、請求項２記載発明（燃料電池発電システム）に対応した燃料電池発電方法の発明である。ここで説明しない事項については、請求項２記載発明の説明内容と同じである。
［請求項１２］  水素貯蔵装置が、水素配管の途中に設置された水素貯蔵装置であることを特徴とする燃料電池発電システム。
本発明は、請求項３記載発明（燃料電池発電システム）に対応した燃料電池発電方法の発明である。ここで説明しない事項については、請求項３記載発明の説明内容と同じである。
［請求項１３］  さらに、水素貯蔵装置の水素圧力を計測し、数式（３）を具備する場合、燃料改質器の運転を停止し、数式（４）を具備する場合、燃料改質器の運転中かどうかを判断し、運転中でないで場合には、燃料改質器を起動を開始することを特徴とする請求項１０〜１２記載の燃料電池発電方法。
ここに、
ＰＨ＞ＰＣ１  ・・・・・・数式（３）
ＰＨ＜ＰＣ２  ・・・・・・数式（４）
ＰＨ：水素貯蔵装置の水素圧力
ＰＣ１：水素貯蔵装置の水素圧力の上限値
ＰＣ２：水素貯蔵装置の水素圧力の下限値
本発明は、請求項４記載発明（燃料電池発電システム）に対応した燃料電池発電方法の発明である。ここで説明しない事項については、請求項４記載発明の説明内容と同じである。
［請求項１４］  燃料電池スタックからの排熱を回収する排熱回収装置を備えたことを特徴とする請求項１０〜１３記載の燃料電池発電方法。
本発明は、請求項５記載発明（燃料電池発電システム）に対応した燃料電池発電方法の発明である。ここで説明しない事項については、請求項５記載発明の説明内容と同じである
［請求項１５］  水素貯蔵装置が圧力ボンベであることを特徴とする請求項１０〜１４記載の燃料電池発電方法。
本発明は、請求項６記載発明（燃料電池発電システム）に対応した燃料電池発電方法の発明である。ここで説明しない事項については、請求項６記載発明の説明内容と同じである
［請求項１６］  水素貯蔵装置が圧力ボンベであるとき、夜間電力を使って水素を圧力ボンベに蓄えることを特徴とする請求項１０〜１５記載の燃料電池発電方法。
本発明は、請求項７記載発明（燃料電池発電システム）に対応した燃料電池発電方法の発明である。
［請求項１７］  電力キャパシターを備えたことを特徴とする請求項１０〜１６記載の燃料電池発電方法。
本発明は、請求項８記載発明（燃料電池発電システム）に対応した燃料電池発電方法の発明である。
［請求項１８］  金曜日の営業終了後一定時間燃料改質器の運転を行い、土曜日と日曜日の間に必要水素量を水素貯蔵装置に貯蔵した後、燃料改質器を停止し、燃料改質器を停止した後は、水素貯蔵装置からの水素量Ｈを燃料電池スタックに供給して電力負荷Ｗの消費電力を賄い、週明けの月曜日の営業開始前一定期間から燃料改質器の運転を行なうことを特徴とする請求項１０〜１７記載の燃料電池発電方法。
本発明は、請求項９記載発明（燃料電池発電システム）に対応した燃料電池発電方法の発明である。ここで説明しない事項については、請求項９記載発明の説明内容と同じである。
【発明の効果】
【００３９】
以上のように本発明の構成により、本発明の課題全てを充分に達成することができた。すなわち、電力消費量が少なく、燃料改質器の水素製造能力に余裕があるときに、水素を水素貯蔵装置に蓄えておき、電力消費量が増加し燃料改質器の水素製造能力が不足したときに、水素貯蔵装置に蓄えておいた水素で水素製造能力の不足を補うことにより、最大電力需要量に対応した燃料改質器を必要とせず、システムのコンパクト化、設備投資の低減、燃料改質器のウォーミングアップ運転時の燃料の低減が可能になると共に、燃料改質器を効率の良い水素発生量の範囲に限定して運転することが可能になり、燃料電池発電システム全体のエネルギー効率を向上させることができる。
【００４０】
排熱回収装置を設置することにより、燃料電池スタックや燃料改質器の排熱も有効に利用できる。
【００４１】
夜間電力でコンプレッサーを駆動して水素を圧力ボンベに圧縮貯蔵することにより、揚水発電代替類似の電力貯蔵が可能となり、昼間において、系統電力のピークカットが可能となる。
【００４２】
特に、蓄電池等のように電力貯蔵装置を備えた燃料電池発電システム（単に、前者という。）と水素貯蔵装置置を備えた本発明の燃料電池発電システム（本発明）とを比較した場合、以下のような当業者の予測不可能な顕著な効果がある。
【００４３】
前者は、燃料改質器の発生水素量とその水素を用いて燃料電池スタックにより発電するので、燃料改質器の容量を本発明の燃料改質器よりコンパクトにできるというメリットが有る。
【００４４】
本発明は、コンパクト性は劣るものの、図５のように、燃料電池スタックの発電効率は、低負荷運転の方が高いという特性を有する。
【００４５】
前者の場合、燃料改質器と燃料電池スタックのコンパクト化設計に力点が置かれるために、かなりの高負荷運転をせざるを得ないので、燃料電池スタックの発電効率は、本発明に比較して劣らざるを得ない。
【００４６】
発明者は、前者と本発明の両方のシステム設計を行った結果、次のようなことに始めて気が付いた。
【００４７】
すなわち、本発明では、燃料改質器のコンパクト化は電池タイプの前者と同様可能であるが、燃料電池スタックは、前者に比較してどうしても設計容量が大きくならなければならないという点ではデメリットである。しかし、燃料電池スタックの発電効率という点に着目すると、下記のように、本発明の方が、前者より燃料電池スタックの発電効率は高いということが分かった。
本発明のように水素貯蔵タイプの燃料電池システムを一日一回起動し停止するという運転方法を採用する場合、かなりの低負荷運転とならざるを得ない（このことは定格運転の観点ではデメリットと考えられ易い。）が、低負荷運転をする方が、図５からも明らかなように、燃料電池スタックの発電効率が高いからである。
【００４８】
このように、本発明は、前者に比較して、燃料電池スタックのコンパクト化は劣るものの逆に、燃料電池システムを一日一回起動し停止するという運転方法を採用する場合、燃料電池スタックはかなりの時間帯低負荷運転をせざるを得ず、これが逆に働いて燃料電池スタックの発電効率が高くなるという当業者が予測し得ない顕著な効果を発揮することとなった。
【発明を実施するための最良の形態】
【００４９】
水素及び酸素を供給することにより発電する燃料電池スタックと、燃料を供給して水素を発生させる燃料改質器、燃料改質器において発生した水素を燃料電池スタックへ供給する水素配管、空気中の酸素を燃料電池スタックに供給する空気配管、前記水素配管の途中に水素貯蔵装置を設けた燃料電池発電システムにおいて、燃料改質器で発生した水素の量に対して、電力需要量を賄う為に燃料電池スタックが消費する水素の量が少なく水素が余るとき、余った水素を水素貯蔵装置に蓄え、燃料改質器で発生した水素の量に対して、電力需要量を賄う為に燃料電池スタックが消費する水素の量が多く水素が不足するとき、蓄えておいた水素で不足する水素を補うようにシステムを制御する制御装置からなることを特徴とする燃料電池発電システムである。
【実施例１】
【００５０】
以下実施例１について説明する。図１は本発明に係る燃料電池発電システム１００の一実施例を示すブロック図である。
水素及び酸素を供給することにより発電する燃料電池スタック３と、燃料Ｆを供給することにより水素を発生させる燃料改質器１、燃料改質器１において発生した水素Ｈを燃料電池スタック３へ供給する水素配管ＬＨ、空気Ａ中の酸素を燃料電池スタック３に供給する空気配管ＬＡ、前記水素配管ＬＨの途中から分岐した後再接続されるバイパス配管ＬＢＰの途中に設けられた水素貯蔵装置２、及び制御装置（図示せず）から構成されている。
そして、制御装置は、一日の間において、燃料改質器１を一回だけ起動を開始し一定期間ｔｏ定常運転した後完全停止する燃料電池発電システム１００において、燃料改質器１の起動開始時ｔｓになれば、燃料改質器１の起動を開始し、燃料改質器１の定常運転により、数式（２）を満足するように水素量Ｈ００を発生させて、燃料電池スタック３により電力需要量を賄うと共に、水素貯蔵装置２に水素を貯蔵した後、燃料改質器１の完全停止時ｔｅ＝ｔｓ＋ｔｏにおいて、燃料改質器１の運転を完全に停止し、燃料改質器１の完全停止時ｔｅから次の燃料改質器１の起動開始時ｔｓの間は、電力需要量を水素貯蔵装置２に貯蔵された水素で賄うように制御する。
これにより、燃料改質器１は効率が良い範囲に限定して定常運転することができるようになり、エネルギー効率が従来以上に向上する。
一方、水素貯蔵装置２に水素をいつでも取り出せる状態で蓄えることにより、燃料電池スタック３の最大水素量を賄う大容量の燃料改質器１を必要とせず、システムのコンパクト化、設備投資の低減、燃料改質器１のウォーミングアップ運転時に要する燃料Ｆの低減が可能になる。
以上のような効果により、コンパクトで安価で高効率な水素貯蔵装置２を備えた燃料電池発電システム１００を実現することができる。
以下、図１を参照して実施例１を詳細に説明する。図１は、本発明に係る燃料電池発電システム１００の一実施例を示すブロック図である。
燃料電池発電システム１００は、燃料改質器１、水素貯蔵装置２、燃料電池スタック３、制御装置（図示せず）から構成されている。さらに、排熱回収装置４を構成要素ともしている。燃料電池発電システム１００によって発電した電力は、電力負荷１１に、電力線ＬＥＰにより供給される。
燃料改質器１は燃料Ｆを原料として水素リッチガス（水素）を生成する。
燃料改質器１は、水素配管ＬＨを通じて燃料電池スタック３と接続されている。水素配管ＬＨの途中には、コンプレッサーＣ２とバルブＶ２が設けられている。コンプレッサーの上流地点から分岐したバイパス配管ＬＢＰが設けられ、バイパス配管ＬＢＰの途中に、順次、コンプレッサーＣ１、バルブＶ１、水素貯蔵装置２、バルブＶ３が設けられている。
《燃料電池発電方法（平日運転モード）》
以下、図７又は図８に基づいて、燃料電池発電方法（平日運転モード）を説明する。
＜燃料改質器１の起動方法＞
制御装置（図示せず）は、一日の間において、燃料改質器１を一回だけ起動する。燃料改質器１の起動開始時ｔｓになれば、制御装置により、燃料改質器１の起動を開始し、燃料改質器１の定常運転を行う。
ここに、起動開始時ｔｓは、予め設定され、メモリーＭに記憶されている。
＜燃料改質器の定常運転方法＞
制御装置（図示せず）によって、数式（２）を満足するように水素量Ｈ００を発生させて、燃料電池スタックにより電力需要量を賄うと共に、水素貯蔵装置２に水素を貯蔵した後、燃料改質器１の完全停止時ｔｅ＝ｔｓ＋ｔｏにおいて、燃料改質器１の運転を完全に停止し、燃料改質器１の完全停止時ｔｅから次の燃料改質器１の起動開始時ｔｓの間は、電力需要量を水素貯蔵装置２に貯蔵された水素で賄うように制御する。
【００５１】
以下、本システムの燃料改質器１の定常運転方法について詳説する。
【００５２】
図４に基づいて説明する。以下の説明にない内容は、実施例１の上述した内容と同じとする。
燃料改質器１の起動開始時ｔｓになれば、制御装置は、燃料改質器１を自動的に起動させて、一定出力Ｈ００（燃料改質器１の改質水素量）で定常運転する。
【００５３】
ここに、一定出力Ｈ００情報は、予め設定された数値であり、メモリーＭに記憶さされている。
【００５４】
一定出力Ｈ００情報を用いて、制御装置は、以下の制御を行う。
【００５５】
燃料改質器１は定常水素発生量Ｈ００で水素を製造する。ただし、燃料改質器１の完全停止時ｔｅから起動開始時ｔｓの間は、Ｈ００＝０である。
【００５６】
時刻ｔにおける想定電力需要量Ｗ０（ｔ）に対応する水素量Ｈ０（ｔ）を予め記憶された水素量Ｈ０（ｔ）と実際に燃料改質器１で製造される水素量Ｈ００を比較する。
三つの場合に場合分けされる。
【００５７】
すなわち、
（１）Ｈ０（ｔ）＞Ｈ００の場合
（２）Ｈ０（ｔ）＝Ｈ００の場合
（３）Ｈ０（ｔ）＜Ｈ００の場合
に分けて、以下、制御装置による制御方法について説明する。
＜Ｈ０（ｔ）＞Ｈ００の場合＞
＜Ｈ０（ｔ）＜Ｈ００の場合（水素Ｈが余るとき）＞
燃料改質器１で発生した水素量Ｈ（ｔ）に対して、電力負荷１１の消費電力を賄う為に燃料電池スタック３が消費する水素量Ｈ（ｔ）が少なく水素が余るとき、燃料改質器１で生成された水素の内、余剰な分の水素はバルブＶ１を開、バルブＶ３を閉にして、コンプレッサーＣ１によって昇圧され、バイパス配管ＬＢＰを通じて水素貯蔵装置２に蓄えられる。発電に必要な分の水素はバルブＶ２を開にした上でコンプレッサーＣ２によって昇圧され、水素配管ＬＨを通じて燃料電池スタック３に供給される。一方、空気ＡもコンプレッサーＣ４によって昇圧されて空気配管ＬＡを通じて発電に必要な分だけ燃料電池スタック３に供給される。
＜Ｈ０（ｔ）＝Ｈ００の場合＞
燃料改質器１で発生した水素量Ｈ（ｔ）と想定電力需要量Ｗ０（ｔ）に相当する想定必要水素量Ｈ０（ｔ）が同じとき、燃料改質器１で生成された水素はバルブＶ２を開にした上でコンプレッサーＣ２によって昇圧され、水素配管ＬＨを通じて過不足なく燃料電池スタック３に供給される。一方、空気ＡもコンプレッサーＣ４によって昇圧されて空気配管ＬＡを通じて発電に必要な分だけ燃料電池スタック３に供給される。
＜Ｈ０（ｔ）＞Ｈ００の場合（水素Ｈが不足するとき）＞
燃料改質器１で発生した水素量Ｈ（ｔ）に対して、想定電力需要量Ｗ０（ｔ）に相当する想定必要水素量Ｈ０（ｔ）がＨ００より多く水素が不足するとき、燃料改質器１で生成された水素は全てバルブＶ２を開にした上でコンプレッサーＣ２によって昇圧され、水素配管ＬＨを通じて燃料電池スタック３に供給される。不足な分の水素は、Ｃ１を閉にした上で、Ｖ３を開き、水素貯蔵装置２に蓄えられている水素を、バイパス配管ＬＢＰを通じて水素配管ＬＨに合流させることにより賄われる。一方、空気ＡもコンプレッサーＣ４によって昇圧されて空気配管ＬＡを通じて発電に必要な分だけ燃料電池スタック３に供給される。
【００５８】
燃料電池スタック３において発電された直流電力は電力線ＬＥの途中に設置されたインバータ（図示せず）を介して交流電力に変換されて電力負荷１１に供給される。さらに、燃料電池スタック３から発生する排熱は排熱回収装置４によって回収されて熱負荷１２に供給される。
【００５９】
この結果、燃料改質器１は、効率の良い水素発生量の範囲に限定して運転することが可能となる。また、水素貯蔵装置２を設けることにより、燃料改質器１における水素製造能力以上の燃料電池スタック３の水素需要にも対応することができ、燃料改質器１の小容量化が可能になる。
《燃料電池発電方法（休日運転モード）》
週末（土曜・日曜）に燃料改質器１を停止する場合について燃料電池発電システム１００の運転方法（休日運転モード）について説明する。
図５に基づいて説明する。
週末（土曜・日曜）の間、電力負荷１１の消費電力が少ない場合、燃料改質器１を停止し、水素貯蔵装置２に貯蔵された水素で、週末（土曜・日曜）の間の電力負荷１１の消費電力を賄うことができる場合がある。
金曜日の例えば１９時に営業を終了する。営業終了後一定時間燃料改質器１の運転を行い、週末（土曜・日曜）の間に必要な水素を水素貯蔵装置２に貯蔵し、燃料改質器１を時刻ｔｅに完全停止する。燃料改質器１を停止した後は、水素貯蔵装置２に貯蔵されている水素を燃料電池スタック３に供給して電力負荷１１の消費電力を賄う。
週明けの朝方の時刻ｔｓに燃料改質器１を運転開始し、週明けの電力負荷１１の消費電力を賄う。燃料改質器１を運転開始後は、出来るだけ早期に水素発生量Ｈ００の定常運転を継続する。その後については、＜燃料電池発電方法（平日運転モード）＞で詳述した通りである。
−−−−−−−−−−−−−−−−−−−−−−−−−−−−−−−−−
【実施例２】
【００６０】
以下実施例２について説明する。図２は本発明に係る燃料電池発電システム１００の一実施例を示すブロック図である。
【００６１】
なお、実施例２について説明しない部分は、実施例１と同じである。
【００６２】
実施例１では、コンプレッサーＣ２の上流で、水素配管ＬＨから分岐したバイパス配管ＬＢＰが再度バルブＶ２の下流で合流するのに対して、実施例２では、コンプレッサーＣ２の上流で、水素配管ＬＨから分岐した分岐配管ＬＢＲが再度バルブＶ２の下流で合流することなく、バルブＶ３を通った後燃料電池スタック３に直接接続される点が相違する。
【００６３】
その他の構成については、実施例１と実施例２とは同じである。
【実施例３】
【００６４】
以下実施例３について説明する。図３は本発明に係る燃料電池発電システム１００の一実施例を示すブロック図である。
【００６５】
なお、実施例３について説明しない部分は、実施例１と同じである。
実施例１では、バイパス配管ＬＢＰの途中に水素貯蔵装置が設置され、実施例２では、分岐配管ＬＢＲの途中に水素貯蔵装置が設置されるのに対して、実施例３では、水素配管ＬＨの途中に水素貯蔵装置が設置される点が相違する。
実施例３の効果は、水素配管ＬＨの途中にバイパス配管ＬＢＰや分岐配管ＬＢＲを設けることなく、またコンプレッサーやバルブの構成要素が減ってコストダウンに繋がり、燃料電池発電システムの運転が簡単になり、故障等が減少することである。
【実施例４】
【００６６】
以下実施例４について説明する。なお、実施例４について説明しない部分は、実施例１と同じである。実施例４では、電力線ＬＥＰに電力キャパシターＥＣ（図示しない）が設置される。電力負荷１１のスイッチが入れられ、突入電力が急激に上昇したが、急激な上昇分は電力キャパシターに蓄えられた電力で賄うことができた。
○  本発明（水素貯蔵タイプ）、比較例（電池タイプ）の燃料電池スタックの発電効率の比較について
本発明（水素貯蔵タイプ）、比較例（電池タイプ）を比較することによって、本発明の効果をより具体的に説明しよう。
【００６７】
ここにおいて、
本発明とは、実施例１記載発明をいい、
比較例１とは、以下に記載以外は、実施例１と同じである。
（１）水素貯蔵タンクを電池で置換する。
（２）燃料電池スタックの容量を本発明（水素貯蔵タイプ）の１／２程度に設定する。
【００６８】
本発明と比較例１とは、１日当りの燃料電池スタックの平均発電効率について言えば、前者の平均発電効率が６６．２％であるのに対して、後者の平均発電効率が３８．４％である。
前者の平均発電効率が、後者の平均発電効率より遥かに大きいこと（６６．２％／３８．４％＝約１．７倍）が分かる。この約１．７倍は省エネルギーの観点から言えば、非常に大きな効果であり、実際に燃料電池スタックの実際の運転で６６．２％の発電効率を達成しうることを示したのは本発明が初めてである。
図９を参照すれば、時間毎の発電効率の推移が分かる。前者は、電力需要量が少ない時に発電効率が高いことが分かり、後者については、電力需要量の多寡に拘わらず一定である。この理由は、図４と図９を比較して見れば一目瞭然である。例えば、電力需要量が最少の時刻において、発電効率が最高で、逆に電力需要量が最多の時刻において、発電効率が最低を記録している。燃料電池スタックの発電効率は、燃料電池スタックの最大能力に対する電力負荷（電力負荷率ともいう）が少ない場合に、高くなる傾向がある。上記の電力需要量と発電効率の関係は、平均発電効率のみならず時々刻々の発電効率においても
したがって、前述したように水素貯蔵タイプの燃料電池発電システムは、燃料電池スタックの小型化が図れなかったので、電力貯蔵タイプの燃料電池発電システムに比較して、電力負荷率は圧倒的に低く、したがって、その分発電効率は高くなるという水素貯蔵タイプの特有の効果が発揮される。
【００６９】
このことは、前述したような着想がなければ、本発明を想到することは有り得ず、当業者が予測できない顕著な効果を奏することができる。
水素貯蔵タイプの昇圧エネルギー効率と電力貯蔵タイプの充放電効率
エネルギー貯蔵装置に入ってから出て行く場合の効率を貯蔵効率とすると、水素貯蔵タイプの昇圧エネルギー効率と電力貯蔵タイプの充放電効率は、ともにエネルギー貯蔵装置の貯蔵効率ということができる。
【００７０】
水素貯蔵タイプの昇圧エネルギー効率と電力貯蔵タイプの充放電効率を比較すると、水素貯蔵タイプの昇圧エネルギー効率は、電力貯蔵タイプの充放電効率を一般的には上回る。本願明細書においては、水素貯蔵タイプの昇圧エネルギー効率と電力貯蔵タイプの充放電効率は略等しいとして論ずることとした。
【図面の簡単な説明】
【００７１】
【図１】本発明の一の実施形態の燃料電池発電システム１００のブロック図である。
【図２】本発明の二の実施形態の燃料電池発電システム１００のブロック図である。
【図３】本発明の三の実施形態の燃料電池発電システム１００のブロック図である。
【図４】本発明の一の実施形態の燃料電池発電システム１００の運転状況説明図である。
【図５】燃料電池スタックの発電負荷による発電効率の変化を示す図である。
【図６】燃料改質器の運転負荷による改質効率の変化を示す図である。
【図７】本発明の一の実施形態の燃料電池発電システム１００の運転フロー図である。
【図８】本発明の一の実施形態の燃料電池発電システム１００の運転フロー図（詳細）である。
【図９】本発明（水素貯蔵タイプ）と比較例（電力貯蔵タイプ）の発電効率の比較図である。
【符号の説明】
【００７２】
１００  燃料電池発電システム
１      燃料改質器
２      水素貯蔵装置
３      燃料電池スタック
４      排熱回収装置
１１    電力負荷
１２    熱負荷
Ｃ１、Ｃ２、Ｃ４  コンプレッサー
Ｖ１、Ｖ２、Ｖ３  バルブ
ＬＡ    空気配管
ＬＨ    水素配管
ＬＢＰ    バイパス配管
ＬＢＲ    分岐配管
ＬＥＰ    電力線
【要約】      （修正有）【課題】燃料改質器容量を低減して、システムの小型化、改質器の起動運転時の燃料低減を図ると共に、改質器を効率の良い範囲で運転することにより、水素貯蔵装置を備えた燃料電池発電システム提供する。【解決手段】燃料電池と、改質器、発生した水素を燃料電池へ供給する水素配管、空気中の酸素を燃料電池に供給する空気配管、前記水素配管の途中に水素貯蔵装置２を設置する。そして一日において、改質器１を一回だけ起動し一定期間定常運転した後完全停止する。改質器の起動開始時になれば起動を開始し、改質器の定常運転により、必要水素量を発生させて、燃料電池により電力需要量を賄うと共に、水素貯蔵装置に水素を貯蔵する。その後次の燃料改質器の起動開始時迄の間は、電力需要量を水素貯蔵装置に貯蔵された水素で賄うようにした燃料電池発電システム。【選択図】図１【図１】
0003682884.tif 000002
【図２】
0003682884.tif 000003
【図３】
0003682884.tif 000004
【図４】
0003682884.tif 000005
【図５】
0003682884.tif 000006
【図６】
0003682884.tif 000007
【図７】
0003682884.tif 000008
【図８】
0003682884.tif 000009
【図９】
0003682884.tif 000010